(57)【要約】【課題】ポップアップグリーティングカードのポップアップ過程でカット小紙片がゆっくりと落下して、開いたグリーティングカード上に散乱するようにする。【解決手段】ポップアップグリーティングカード２と、小紙片９，９・・７，とを備えるポップアップグリーティングカード２を開くと、折り畳まれていた立体モデル５がポップアップし、このとき、立体モデル５等の内側に係止していた小紙片９．９・・が落下して、開いたカード台紙３上に散乱するようにした。【選択図】図１
2020090078.tif 000002
【特許請求の範囲】
【請求項１】
グリーティングカードの内側に立体モデルを備え、該グリーティングを開けると前記立体モデルが平坦に折り畳まれた状態からポップアップするポップアップグリーティングカードにおいて、
該ポップアップグリーティングカードの内側に１枚又は複数枚の小紙片が支持されており  該ポップアップグリーティングカードを開ける途中で、前記小紙片の前記支持が解除されて、該小紙片が落下するように構成されている、小紙片が落下するポップアップグリーティングカード。
【請求項２】
前記立体モデルの上部は樹木の枝葉に相当し、該立体モデルの下部は樹木の幹に相当し、前記各小紙片は、花びら、葉、果実、木の実のいずれか又は複数に相当する、請求項１に記載の小紙片が落下するポップアップグリーティングカード。
【請求項３】
前記小紙片は、折り畳まれている前記立体モデルの内側に挟まれて支持されており、
前記小紙片は、前記ポップアップグリーティングカードを開ける途中で前記立体モデルによる挟み付けが解除されて下方に落下し、開いた前記グリーティングカード上に散乱するように構成されている、請求項１又は２に記載の小紙片が落下するポップアップグリーティングカード。
【請求項４】
前記小紙片は、前記立体モデルの凹凸がある縁部及び該立体モデルに設けられているカット孔に係止した状態で、該立体モデルの内側に挟み付けられて支持されている、請求項３に記載の小紙片が落下するポップアップグリーティングカード。
【請求項５】
前記小紙片は、前記ポップアップグリーティングカードの内側に設けられた収納部材内に収納されており、該ポップアップグリーティングカードを開ける途中で該収納部材が開いて、前記小紙片が下方に落下するように構成されている、請求項１又は２に記載の小紙片が落下するポップアップグリーティングカード。
【発明の詳細な説明】
【技術分野】
【０００１】  本発明は、ポップアップグリーティングカードを開けたときに、花びらに例示される小紙片が樹木に例示される立体モデルの下方に落下して、グリーティングカード上に散乱する、驚きと風情がある、小紙片が落下するポップアップグリーティングカードに関する。
【背景技術】
【０００２】  従来のポップアップグリーティングカードは、特許文献１に記載のようにグリーティングカードを開くと、装飾体（立体モデル）が折り畳まれていた状態から引き起こされてポップアップするように構成されている。
【先行技術文献】
【特許文献】
【０００３】
【特許文献１】実用新案登録第３１３７８６８号公報
【発明の概要】
【発明が解決しようとする課題】
【０００４】  しかしながら、このようなポップアップグリーティングカードは従前より周知であり、受け取った人に与える感動も通常である場合が多い。
そこで発明者は、従来のポップアップグリーティングカードに格別の驚きと風情のある新機能を付加すれば、ポップアップグリーティングカードを受け取った人に一層喜ばれると考え、この新機能について鋭意検討した。【０００５】  この結果、ポップアップグリーティングカードを開いたときに、桜の木に例示される立体モデルから、桜の花びらに例示される小紙片が落下するという新機能を提案するに至った。小紙片は、さくらんぼ、もみじの葉、銀杏の葉、木の実。や木の葉、栗の実、雪等を示すものであってもよい。
【課題を解決するための手段】
【０００６】  請求項１に対応する本願発明に係る小紙片が落下するポップアップグリーティングカードは、次の構成を備える。
（１）グリーティングカードの内側に立体モデルを備え、該グリーティングを開けると前記立体モデルが平坦に折り畳まれた状態からポップアップするポップアップグリーティングカードがベースになっている。
（２）該ポップアップグリーティングカードの内側に１枚又は複数枚の小紙片が支持されている。
（３）該ポップアップグリーティングカードを開ける途中で、前記小紙片の前記支持が解除されて、該小紙片が落下するように構成されている。【０００７】  請求項２に対応する本願発明に係る小紙片が落下するポップアップグリーティングカードは、次の構成を備える。
（１）請求項１に記載の構成を備える。
（２）前記立体モデルの上部は樹木の枝葉に相当し、該立体モデルの下部は樹木の幹に相当し、前記各小紙片は、花びら、葉、果実、木の実のいずれか又は複数に相当する。【０００８】  請求項３に対応する本願発明に係る小紙片が落下するポップアップグリーティングカードは、次の構成を備える。
（１）請求項１又は２に記載の構成を備える。
（２）前記小紙片は、折り畳まれている前記立体モデルの内側に挟まれて支持されている。
（３）前記小紙片は、前記ポップアップグリーティングカードを開ける途中で前記立体モデルによる挟み付けが解除されて下方に落下し、開いた前記グリーティングカード上に散乱するように構成されている。【０００９】  請求項４に対応する本願発明に係る小紙片が落下するポップアップグリーティングカードは、次の構成を備える。
（１）請求項３に記載の構成を備える。
（２）前記小紙片は、前記立体モデルの凹凸がある縁部及び該立体モデルに設けられているカット孔に係止した状態で、該立体モデルの内側に挟み付けられて支持されている。【００１０】  請求項５に対応する本願発明に係る小紙片が落下するポップアップグリーティングカードは、次の構成を備える。
（１）請求項１又は２に記載の構成を備える。
（２）前記小紙片は、前記ポップアップグリーティングカードの内側に設けられた収納部材内に収納されている。
（３）該ポップアップグリーティングカードを開ける途中で該収納部材が開いて、前記小紙片が下方に落下するように構成されている。
【発明の効果】
【００１１】  本願発明は、ポップアップグリーティングカードが有するポップアップ（引き起こし）による立体モデルの形成という従来からある効果に加え、ポップアップグリーティングカードを開いたときに、小紙片が支持を失って落下する機能と効果が付加されている。例えば立体モデルが花が満開の桜の木に相当するモデルであり、小紙片が桜の花びらに相当するものである場合、ポップアップグリーティングカードを開けると満開の桜の木がポップアップし、小紙片による桜の花びらが散ってグリーティングカード上に散乱する。このような機能を備えたポップアップグリーティングカードは従来には見当たらず、ポップアップグリーティングカードを受け取って開いた人に新鮮な驚きと感動、風情を与える。
また、ポップアップグリーティングカードを開いたままにしておくと、満開の桜のモデルと落下して散乱した花びらがある春の置物にもなる。【００１２】  立体モデルは桜の木に限らず他の樹木であっても構わない。例えば立体モデルが紅葉の木で、小紙片が紅葉の葉とすれば、秋の風情を与える。例えば立体モデルが雪の積もったもみの木で、小紙片が雪の結晶とすれば、クリスマスの雰囲気を与える。ポップアップする立体モデルと落下する小紙片とが揃っておれば、立体モデルは樹木以外のものであってもよい。【００１３】  折り畳まれた状態にある立体モデルの内側に小紙片を挟んだ状態にすれば、立体モデルがポップアップしたときに小紙片が落下する。多数枚の小紙片を立体モデルの縁部やカット孔内に係止させた状態で立体モデルの内側に挟んでおくと、小紙片はこの係止た落下途中における立体モデルの各部への接触によって、更に風情のある時間差のある落下になる。【００１４】  小紙片を前記ポップアップグリーティングカードの内側に設けた収納部材内に収納し、ポップアップグリーティングカードを開ける途中で該収納部材が開くようにすれば、未開封のポップアップグリーティングカードの搬送中に小紙片がカード内で散乱することがなく、ポップアップグリーティングカードを開けたときに小紙片を立体モデルの上方から降り注がせることもできる。
【図面の簡単な説明】
【００１５】
【図１】（ａ）は本発明第１実施形態に係る小紙片が落下するポップアップグリーティングカードを開いた状態で示した図、（ｂ）はその一部の拡大図。
【図２】グリーティングカードに立体モデルを取付け終える直前の状態を示した図。
【図３】（ａ）と（ｂ）はいずれも立体モデルの上部になるカット紙の形状例を示した図。
【図４】（ａ）〜（ｃ）は立体モデルをポップアップさせる流れを示した図。
【図５】小紙片の係止例と落下の様子を示した拡大図。
【図６】（ａ）は本発明第２実施形態に係る小紙片が落下するポップアップグリーティングカードを開いた状態で示した図、（ｂ）は立体モデルと収容部材の各取付け位置をグリーティングカードを開いて示した図。
【図７】（ａ）は小紙片を収容した２枚重ね構造の収容部材の一例を示した図、（ｂ）は小紙片を収容部材に収容する直前の状態を示した図、（ｃ）は収容部材が破れて小紙片が落下する様子を示した図。
【発明を実施するための形態】
［第１実施形態］
【００１６】  図１（ａ）（ｂ）に示すように、本願発明第１実施形態に係る小紙片が落下するポップアップグリーティングカード１は、ポップアップグリーティングカード２と、多数枚の小紙片９，９・・・とを備える。
ポップアップグリーティングカード２は、カード台紙３の内側面に内紙４，４が貼付けられた２つ折りタイプのものであり、この内側に紙製の立体モデル５が取り付けられている。内紙４，４付きのカード台紙３はグリーティングカードに相当する。
図１（ａ）（ｂ）は、ポップアップグリーティングカード２が開かれて、立体モデル５がポップアップした状態が示されている。図示する立体モデル５は花満開の桜の木であり、幅広い各３枚のカット紙６，６，６、７，７，７が折畳み可能に組み付けられて花満開の枝葉が形成され、その下方に十字方向に向けた下部カット紙８によって桜の幹が形成されている。
【００１７】  ３枚のカット紙６，６，６の外形は多数の凹凸がある縁部６ａ，６ａ・・で形成され、各カット紙６，６，６には多数のカット孔６ｂ、６ｂ・・が形成されている。
３枚のカット紙７，７，７にも、同様の縁部７ａ，７ａ・・と、カット孔７ｂ、７ｂ・・が形成されている。
【００１８】  桜の花びらに相当する小紙片９，９・・は、折り畳まれた立体モデル５の内側に挟み入れられており、立体モデル５が引き起こされ（ポップアップ）ると、支持を失って落下して、開いたポップアップグリーティングカード２上に散乱する。
【００１９】  この実施形態で用いられている各３枚のカット紙６，７は、スリット６ｃ、７ｃの向きが異なるものが用いられている。３枚のカット紙６，６，６は、中央に位置する１枚が大きく、両側に位置する２枚が若干小さなものが用いられている。
図２（ａ）に示すカット紙６と図２（ｂ）に示すカット紙７は、中央に位置するものが示されている。
図２（ａ）に示す中央に位置するカット紙６は、中央に下向きのスリット６ｃ１が形成され、両側に上向きのスリット６ｃ２が形成されている。両側に位置する２枚のカット紙６，６は、この図では示されていないが、スリット６ｃの向きが図２（ａ）に示すカット紙６と比べて上下逆向きのものが用いられている。
図２（ｂ）に示す中央に位置するカット紙７は、中央に上向きのスリット７ｃ１が形成され、両側に下向きのスリット６ｃ２が形成されている。
３枚のカット紙７，７，７も同様である。両側に位置する２枚のカット紙６，６は、スリットの向きが上下逆向きのものが用いられている。
カット紙６，６，６とカット紙７，７，７は、夫々平行な向きで交差するように、スリット６ｃとスリット７ｃとを組み合わせた挿し込みによって組み付けられている。
【００２０】  図３には、カット紙６，６，６と３枚のカット紙７，７，７と、下部カット紙８とが、が組付けられて平坦に折り畳まれた状態になった立体モデル５Ａものが示されている。
この状態の立体モデル５Ａが、下部カット紙８の下端部に設けた舌片８ａを内紙４に設けられているスリット４ａ内に突入させてカード台紙３に糊付けする方法で台紙３の片側面に固定されている。舌片８ａは２つあり、図４は、右側の舌片８ａを右側のスリット４ａ内に突入させる前の状態を示している。左側の舌片とスリットはカット紙８の背面側に位置して見えない状態にあるが、同様の方法で台紙３の他方の片側面に固定されている。
【００２１】  図４（ａ）〜（ｃ）は、ポップアップグリーティングカード２が開くときの立体モデル５の形状が示されている。
これらの図に示すように、ポップアップグリーティングカード２を開ける操作をすると、舌片８ａ，８ａが互いに離れる方向（反対方向）に引かれて、折り畳まれていた立体モデル５Ａがポップアップする。
【００２２】    図５において、小紙片（桜の花びら）９の好適な係止状態が示されている。
この図に示すように立体モデル５が開かれると、カット紙６（７）の縁部６ａ（７）やカット孔６ｂ（７ｂ）に係止していた小紙片９，９・・は、係止の解除に時間差があるため、また落下の途中で縁部６ａ（７）やカット孔６ｂ（７ｂ）に接触するため、時間差のある落下になる。
小紙片９，９・・がカット紙６（７）の縁部６ａ（７）やカット孔６ｂ（７ｂ）に係止した状態でグリーティングカードが閉じられていると、開封前のポップアップグリーティングカード内で小紙片９，９・・が移動する事態が大幅に抑えられる。
【００２３】［第２実施形態］
図６において、本発明第２実施形態に係る小紙片が落下するポップアップグリーティングカード１０が開かれた状態で示されている。
この小紙片が落下するポップアップグリーティングカード１０には、ポップアップグリーティングカード２の内側面に多数枚の小紙片９，９・・を収納した収納部材が取り付けられている。この図では、ポップアップグリーティングカード２が開かれたときに収納部材の各片側面１１Ｌ，１１Ｒが引き破られて、ポップアップグリーティングカード２の各片側面に残った状態が示されている。
【００２４】  図７（ａ）に収納部材１１の好適なる一例が示されている。
この収納部材１１は、図７（ａ）（ｂ）に示すように、２つ折りした紙片の各片側面の３辺が粘着剤で接合された紙袋になっており、この収納部材１１の内部に桜の花びらになる小紙片９，９・・が収納されている。
収納部材１１の両側面は、ポップアップグリーティングカード２の内側面に糊付けされている。このためポップアップグリーティングカード２を開くと収納部材１１が中央のミシン目１１ｃの個所で破断して、図１１（ｃ）に示すように２つに分断し、このときに小紙片９，９・・が落下する。このようにすると、ポップアップした立体モデル５の上方から小紙片９，９・・が降り注ぐ。
破断した後の収納部材１１の各片側面１１Ｌ，１１Ｒはポップアップグリーティングカード２の内側面に残ることによる見苦しさを防ぐため、図６及び図７（ａ）（ｂ）に示すように各片側面１１Ｌ，１１Ｒの内側面にメッセージなどの印刷をしておくと、ポップアップグリーティングカード２を開いた人にとって、より一層喜ばれるであろう。
【産業上の利用可能性】
【００２５】  本発明は、ポップアップグリーティングカードの分野で使用される。
【符号の説明】
【００２６】  １…小紙片が落下するポップアップグリーティングカード  ２…ポップアップグリーティングカード  ３…カード台紙  ４…内紙  ５…立体モデル  ６…カット紙  ７…カット紙  ８…下部カット紙    ８ａ…舌片  ９…小紙片
【図１】
2020090078.tif 000003
【図２】
2020090078.tif 000004
【図３】
2020090078.tif 000005
【図４】
2020090078.tif 000006
【図５】
2020090078.tif 000007
【図６】
2020090078.tif 000008
【図７】
2020090078.tif 000009